(57)【要約】【課題】指揮者及び演奏者が快適かつ安定した状況で使用でき、さらに、静粛性を保って譜面を表示することができ、また、軽量で移動が容易な電子楽譜表示装置を提供する。【解決手段】本電子楽譜表示装置は、電子楽譜情報を表示する表示装置部２と、この表示装置部２を支持する支持部材３と、この支持部材３が立設される収納基台５と、この収納基台５に収納され表示装置部２を制御する制御部４を有する。【選択図】  図３
2004279818.tif 000002
【特許請求の範囲】
【請求項１】
電子楽譜情報を表示する表示装置部と、この表示装置部を支持する支持部材と、この支持部材が立設される収納基台と、この収納基台に収納され前記表示装置部を制御する制御部を有することを特徴とする電子楽譜表示装置。
【請求項２】
前記収納基台は、その内面に吸音材が貼り付けられることを特徴とする請求項１に記載の電子楽譜表示装置。
【請求項３】
前記収納基台の底面には、排熱用の換気孔、外周部には放熱フィンが設けられることを特徴とする請求項１または２に記載の電子楽譜表示装置。
【請求項４】
前記収納基台の底面には吸気孔、外周部には排熱用の換気孔が設けられることを特徴とする請求項１または２に記載の電子楽譜表示装置。
【請求項５】
前記収納基台には、移動用の車輪が設けられることを特徴とする請求項１ないし４のいずれか１項に記載の電子楽譜表示装置。
【発明の詳細な説明】
【０００１】
【発明の属する技術分野】
本発明は電子楽譜表示装置に係わり、特に表示装置部とこの表示装置部を制御する制御部を分離した電子楽譜表示装置に関する。
【０００２】
【従来の技術】
一般に演奏会や音楽の録音を複数の楽器を用いて行う際は、中央に指揮者がおり、この指揮者を囲むように数十人の演奏者が配列して曲を演じている。各演奏者は、前方に各演奏者用の楽譜が載置された楽譜スタンドを置いて演奏しており、楽譜は演奏する曲の楽譜が紙に印刷された冊子になっている。
【０００３】
通常、演奏しようとする楽譜は、複数頁の構成となっており、指揮者及び演奏者は、一つの曲が終了するまでの演奏中に楽譜の頁を順次めくる必要が発生する。演奏中に、タイミングよく頁をめくる作業は、非常に難しく、失敗したときには、演奏を中断もしくは演奏の善し悪しに影響する。
【０００４】
また、頁数の多い楽譜の場合には、譜面めくり専門の担当者を用意するか、または一部の演奏者が演奏を中断して頁めくりをする必要があった。
【０００５】
これらの課題を解決する手段としては、特許文献１に記載された電子譜面台が提案されている。
【０００６】
特許文献１に記載の電子譜面台は、譜面ディスプレイに表示譜面の更新の制御手段を設け、取り込んだ音データと譜面データを比較し、その差をトレースして譜面めくりを行う方法や、フットスイッチなどを使用して譜面めくりを行う方法を提案している。
【０００７】
しかしながら、特許文献１に記載の電子譜面台は、楽譜の表示には液晶ボードを使用し、液晶ボード部に制御部を一体としてスタンドに設置する方式としているため、重心が上部の液晶ボード部近傍に存在する。このため、装置の安定性に欠ける構造であり、転倒による故障や、演奏への影響が懸念される。また、液晶ボードに一体となった制御部が演奏者に近い位置に配置されることから、制御部に用いられるＣＰＵファンの風切り音や、ハードディスク装置の駆動音が発生する音が演奏者の耳に届いて演奏に支障が出たり、あるいは録音スタジオで使用する際にはノイズとして録音されることの影響を配慮していない等の不都合がある。
【０００８】
【特許文献１】
特開２０００−２３１３７９号公報（段落番号［００１８］、［００１９］、図１）
【０００９】
【発明が解決しようとする課題】
本発明は上記課題に鑑みなされたもので、演奏会や録音スタジオの演奏で用いるような多数の演奏楽器に対応した楽譜を表示する電子楽譜装置においても、指揮者及び演奏者が快適かつ安定した状況で使用でき、さらに、静粛性を保って譜面を表示することができ、また、軽量で移動が容易な電子楽譜表示装置を提供することを目的とする。
【００１０】
【課題を解決するための手段】
上記目的を達成するため、本発明の１つの態様によれば、電子楽譜情報を表示する表示装置部と、この表示装置部を支持する支持部材と、この支持部材が立設される収納基台と、この収納基台に収納され前記表示装置部を制御する制御部を有することを特徴とする電子楽譜表示装置が提供される。これにより、指揮者及び演奏者が快適かつ安定した状況で使用でき、さらに、静粛性を保って譜面を表示することができ、また、軽量で移動が容易で軽量な電子楽譜表示装置が実現される。
【００１１】
好適な一例では、前記収納基台は、その内面に吸音材が貼り付けられる。これにより、収納基台外への音の漏れが低減され、静粛性が保たれる。
【００１２】
また、他の好適な一例では、前記収納基台の底面には、排熱用の換気孔、外周部には放熱フィンが設けられる。これにより、電子楽譜表示装置の駆動音の影響が抑えられるとともに装置内部の発熱が下方に放熱されるので指揮者及び演奏者に不快感を与えず、快適な状況で使用できる。
【００１３】
また、他の好適な一例では、前記収納基台の底面には吸気孔、外周部には排熱用の換気孔が設けられる。これにより、放熱フィンを設けることなく、電子楽譜表示装置の放熱を行うことができ、安価な装置を提供できる。
【００１４】
また、他の好適な一例では、前記収納基台には、移動用の車輪が設けられる。これにより、電子楽譜表示装置の移動が容易になる。
【００１５】
【発明の実施の形態】
次に、本発明に係わる電子楽譜の表示システムの実施形態について、図面を参照して説明する。
【００１６】
図１は、本発明に係わる電子楽譜表示装置を用いたオーケストラによる演奏の概念図である。
【００１７】
図１に示すように、指揮者Ｃと数十人の演奏者Ｐ１〜Ｐｎにより曲を演奏する。指揮者Ｃ及び演奏者Ｐ１〜Ｐｎは、前方に本発明に係わる電子楽譜表示装置１を置いて、この電子楽譜表示装置１に設けられた例えば液晶型ディスプレイのような表示装置部２に表示される電子楽譜を見て演奏する。
【００１８】
図１乃至図３に示すように、電子楽譜表示装置１は、上記表示装置部２を有し、この表示装置部２の液晶型ディスプレイの表面には、電子楽譜を表示する表示部２ａと利用者の操作信号を入力するためのタッチパネル２ｂが一体化して取り付けられている。また、表示装置部２は支持部材としてのスタンド３により支持され、下部には表示装置部２を駆動する制御部４が収納される側面視蒲鉾状で中空容器状の収納基台５が設けられている。収納基台５の内面には、収納基台５底面に穿設された換気孔５ａを除き、収納基台５の内面全体に渡り吸音材５ｂが貼り付けられて、収納基台５から発生する音を吸収するようになっている。
【００１９】
図４に示すように、制御部４は、使用者が直接操作や監視を行う必要がなく、また、駆動音の発生するＣＰＵ４ａ、補助記憶部４ｂ、これらＣＰＵ４ａ及び補助記憶部４ｂが母線４ｃを介して接続される情報入出力部４ｄ、記憶媒体入出力部４ｅ等からなっており、さらに、収納基台５には、換気孔５ａと放熱用のフィン５ｃが設けられ、収納基台５内の温度上昇を防止し、移動用に車輪５ｄが設けられて、その移動を容易にしている。
【００２０】
制御部４が収納された収納基台５をスタンド３の下部に配置することにより、装置全体の重心を下部に移動し、また、使用者と音の発生源を離隔する構造になっている。電子楽譜のデータは、記憶媒体入出力部４ｅにリムーバルな記憶媒体６を挿入することにより、希望する演奏データの読み込みと書き出しが行えるようになっている。また、表示装置部２は、指揮者Ｃや演奏者Ｐ１〜Ｐｎなど、使用の状態に応じて、角度や高さの調節が容易に行えるように、調節用のリンク３ａ及び高さ調整ネジ３ｂが設けられている。また、表示装置部２に表示した電子楽譜のページ送りに手を使わずに操作するフットペダル７が情報入出力部４ｄに接続されている。
【００２１】
上記構成の電子楽譜表示装置１において、表示部２ａには電子楽譜が表示され、また、入力部２ｂは利用者がタッチパネル操作することにより、情報入出力部４ｄに対して演奏開始や終了などの制御情報を入力することが可能になっている。また、フットペダル７からの入力により、楽譜のページ更新を利用者が手を使わずに行うことができ、フットペダル７を踏むことで、ページ更新情報が情報入出力部４ｄに入力される。
【００２２】
情報入出力部４ｄは、表示装置部２の表示部２ａに接して設けられたタッチパネルの入力部２ｂと、フットペダル７からの入力により、ページ更新操作信号を受け、楽譜情報の更新制御を行う。補助記憶部４ｂには楽譜情報やプログラム情報が保存されている。楽譜情報はＭＩＤＩ規格に準拠したデータフォーマットで保存されていることで、楽譜形態での表示も容易に行えるが、紙に書かれた譜面をスキャナ等で読み取って電子化し、頁の情報を付加して保存してもよい。
【００２３】
記憶媒体入出力部４ｅは、使用者によってデータを記憶または取り出したりする際のインターフェース部であり、リムーバルな記憶媒体６に情報の書き込みと読み出しを行う。ＣＰＵは補助記憶部４ｂに保存されたプログラムに従ってこれらの制御を実行する。これらの各装置間の情報伝達は上記母線４ｃにより行なわれる。
【００２４】
図５に示すようにＣＰＵ４ａには、外部ファン４ａ１が設けられており、ＣＰＵ４ａは高速処理が行なわれると、ＣＰＵ４ａの構成素子の電気抵抗により、素子内部温度が上昇する。このため、ＣＰＵ４ａには温度上昇を低減するために、放熱フィン（図示せず）とファン４ａ１を設けている。また、図６に示すように、補助記憶部４ｂとしての磁気ディスクは、半導体を用いた記憶装置などのデバイスが適用可能であるが、記憶される情報量の多さに対する価格の安さから、パソコンなどでは磁気ディスク装置が用いられるのが一般的であるが、磁気ディスク装置の構造上、情報の読み出しや書き込みなどの動作時に、ヘッド４ｂ１の移動音やディスク４ｂ２が回転するときの駆動音が発生する。従って、ＣＰＵ４ａと補助記憶部４ｂから発生する駆動音や発熱に対する考慮が必要である。
【００２５】
図７に示すように、電子楽譜表示装置１の使用時、収納基台５内の制御部４等からの発熱を排熱するため、放熱フィンにより収納基台５外に放熱される。
【００２６】
また、図８に示すような収納基台の変形例について説明する。
【００２７】
電子楽譜表示装置を録音スタジオ以外の場所、例えば学校や家庭など比較的音の影響が少ない場所で演奏する場合に適する電子楽譜表示装置１Ａには、収納基台５Ａが用いられる。この収納基台５Ａには、これに収納された制御部４Ａ等から発生する放熱を収納基台５Ａ外に放出するための排気孔５Ａｅが設けられており、空気は底部に設けられた吸気孔５Ａａから入り、外周部の排気孔５Ａｅを経て装置外に放出される。他の構成は図７に示す収納基台と異ならないので、同一符号を付して説明は省略する。これにより、収納基台部５Ａの外周部に放熱フィンを設けることが不要となり、安価な装置を提供できる。また、外周部に放熱フィンなどの出っ張り部が無いため、指揮者や演奏者の衣服などが引っかかるおそれなく、安定した演奏が可能となる。
【００２８】
本実施形態の電子楽譜表示装置は、上述のような構造を有するので、スタンド下部に設置された収納基台に制御部を収納することにより、比較的小さな表面積の収納基台であっても、制御部の自重を利用して安定した重量配分が可能となって、装置全体の安定性が増して転倒のおそれがなく、安定した状況で使用でき、また、制御部の自重を利用するので別個のバランスウェートが不要になって軽量化が可能となり、収納基台の表面積を小さくすることにより、指揮者及び演奏者の邪魔にならず、さらに、収納基台の底面に換気孔とフィンを設けることにより、収納基台内の制御部の放熱が促進されて、その温度上昇が防止され、また、装置の下方に放熱されるので指揮者及び演奏者に不快感を与えず、快適な状況で使用でき、さらに、収納基台の内面に吸音材を貼り付けることで、収納基台外への音の漏れが低減され、静粛性を保って譜面を表示することができる。
【００２９】
【発明の効果】
本発明に係わる電子楽譜表示装置によれば、演奏会や録音スタジオの演奏で用いるような多数の演奏楽器に対応した楽譜を表示する電子楽譜装置においても、指揮者及び演奏者が快適かつ安定した状況で使用でき、さらに、静粛性を保って譜面を表示することができ、また、軽量で移動が容易な電子楽譜表示装置を提供することができる。
【図面の簡単な説明】
【図１】本発明に係わる電子楽譜表示装置を用いたオーケストラによる演奏の概念図。
【図２】本発明に係わる電子譜面表示装置の斜視図。
【図３】本発明に係る電子譜面表示装置の断面図。
【図４】本発明に係わる電子譜面表示装置の制御系統図。
【図５】本発明に係わる電子譜面表示装置に用いられるＣＰＵの斜視図。
【図６】本発明に係わる電子譜面表示装置に用いられる補助記憶装置の概念図。
【図７】本発明に係わる電子譜面表示装置の使用時の収納基台の放熱、排気状態を示す説明図。
【図８】本発明に係わる電子譜面表示装置の使用時の収納基台の変形例の放熱、排気状態を示す説明図。
【符号の説明】
１  電子楽譜表示装置
２  表示装置部
２ａ  表示部
２ｂ  タッチパネル
３  スタンド
３ａ  リンク
３ｂ  高さ調整ネジ
４  制御部
４ａ  ＣＰＵ
４ｂ  補助記憶部
４ｂ１  ヘッド
４ｂ２  ディスク
４ｃ  母線
４ｄ  情報入出力部
４ｅ  記憶媒体入出力部
５  収納基台
５ａ  換気孔
５ｂ  吸音材
５ｃ  フィン
５ｄ  車輪
６  記憶媒体
７  フットペダル
Ｃ  指揮者
Ｐ１〜Ｐｎ  演奏者
【図１】
2004279818.tif 000003
【図２】
2004279818.tif 000004
【図３】
2004279818.tif 000005
【図４】
2004279818.tif 000006
【図５】
2004279818.tif 000007
【図６】
2004279818.tif 000008
【図７】
2004279818.tif 000009
【図８】
2004279818.tif 000010